(57)【要約】      （修正有）【課題】自転車のチャイルドシートに乗せる子供を寒さ等から守り、乗降車しやすく、子供の成長や各種チャイルドシートに対応可能で、清潔に保つことができる子供保護具を提供する。【解決手段】子供保護具１０の略長方形のカバー本体１２の両側端１８，２０にファスナー２２Ａ，２２Ｂを設けて筒状に形成可能とする。カバー本体１２の上縁１４と下縁１６に沿って設けた紐２６とゴム３２によりギャザーを寄せ、子供の首元や足元から風雨や雪等を入りにくくする。カバー本体１２の内側のポケット４０から引き出し可能なフード５０は、上縁１４近傍に設けられている。フード５０を被った状態において、閉状態のファスナー２２Ａ，２２Ｂの位置が、子供の正面からずれるように、ポケット４０とフード５０をカバー本体１２の中央からズレた位置に設けることで、子供の乗降車が容易になる。【選択図】図１
0003185770.tif 000002
【実用新案登録請求の範囲】
【請求項１】
自転車に設置されたチャイルドシートに子供を乗せる際に使用される子供保護具であって、
略長方形であって、前記子供の首元から足元までの全体を覆うことができるカバー本体，
該カバー本体の両側端に設けられており、該カバー本体を筒状に閉じ、かつ、全開可能な開閉手段，
前記上縁近傍に接続されており、前記カバー本体の内側に設けられた収納部からの引き出し及び収納が可能であって、前記子供の頭部を覆うフード，
を備えており、
前記フードを被った状態において、前記カバー本体の両端側を閉じた状態の開閉手段の位置が、子供の身体の正面からずれるように、前記フード及び収納部が前記カバー本体に取り付けられていることを特徴とする自転車チャイルドシート用の子供保護具。
【請求項２】
前記カバー本体の上縁に沿って設けられており、該上縁にギャザーを寄せて縮める上部ギャザー形成手段，
前記カバー本体の下縁に沿って設けられており、該下縁にギャザーを寄せて縮める下部ギャザー形成手段，
の少なくとも一方を備えたことを特徴とする請求項１記載の自転車チャイルドシート用の子供保護具。
【請求項３】
前記フードを、頭の前方から後方へ向けて被れる位置に設けるとともに、
前記フードの少なくとも一部に、通気性を有し、かつ、水を透過しない素材を用いたことを特徴とする請求項１又は２記載の自転車チャイルドシート用の子供保護具。
【請求項４】
前記フードの縁部に、形状記憶部材を設けたことを特徴とする請求項１〜３のいずれか一項に記載の自転車チャイルドシート用の子供保護具。
【請求項５】
前記フードの少なくとも一部に、視界を確保するための透明素材を用いたことを特徴とする請求項１〜４のいずれか一項に記載の自転車チャイルドシート用の子供保護具。
【請求項６】
前記フードに、頭部装着時のズレを防止するためのズレ防止手段を設けたことを特徴とする請求項１〜５のいずれか一項に記載の自転車チャイルドシート用の子供保護具。
【請求項７】
前記カバー本体の内側に、該カバー本体の上縁に沿って着脱可能に取り付けられる防寒用布地，
該防寒用布地を、前記カバー本体に着脱可能に取り付けるための取付具，
を設けたことを特徴とする請求項１〜６のいずれか一項に記載の自転車チャイルドシート用の子供保護具。
【請求項８】
前記防寒用布地に、前記子供の手を通すための一対のスリットを設けたことを特徴とする請求項７記載の自転車チャイルドシート用の子供保護具。
【請求項９】
前記防寒用布地の上縁の少なくとも一部にギャザーを寄せて縮めたことを特徴とする請求項７又は８記載の自転車チャイルドシート用の子供保護具。
【請求項１０】
前記カバー本体の内側に、前記チャイルドシートの背面部に固定するめの固定手段を設けたことを特徴とする請求項１〜９のいずれか一項に記載の自転車チャイルドシート用の子供保護具。
【考案の詳細な説明】
【技術分野】
【０００１】
本考案は、自転車の後部荷台や前方に取り付けたチャイルドシート（ないし子供乗せ又は子供同乗器）に子供を同乗させる際の子供保護具に関するものである。
【背景技術】
【０００２】
自転車の後部座席に子供を乗せるための器具は各種のものが存在しており、それに乗せた子供を寒さから防ぎ、突然の天候不良等にも対応するものとしては、例えば、下記特許文献に示す技術がある。特許文献１には、自転車後部荷台に市販のチャイルドシートを取り付けて子供を座らせた上から覆い被せるビニール製のチャイルドシールドカバーが開示されている。また、特許文献２には、自転車の荷台又はハンドルに取り付けて使用する幼児用補助椅子に取り付けるための膝掛けであって、子供の膝部及び腰部等を覆う大きさの防寒用布帛等から形成された柔軟なシート状体からなり、このシート状体の適宜位置に取付部を設け、この取付部を補助椅子の把手部又はその支持部等に取り付けることにより、膝掛けを補助椅子に取り付けることができ、この膝掛けを補助椅子に取り付けた状態で、腰掛けた幼児の膝部及び腰部等を被覆することができる自転車取付用補助椅子用の膝掛けが開示されている。
【０００３】
更に、特許文献３には、自転車のチャイルドシートを被うカバーであって、前記チャイルドシートに取り付ける取付手段を備えたカバー本体の上部前面に開口を形成し、前記開口に添うように又は前記開口の近傍にフードを設け、前記フードを前記開口内へ収容した状態又は前記フードを折り畳んだ状態で、前記開口から前記カバー本体内への雨滴の侵入を防止する蓋体を前記カバー本体に設け、前記カバー本体の側面に下端縁から上方へ延びる側面スリットを形成するとともに、前記側面スリットを開閉する側面ファスナーを設けてなることを特徴とすることが開示されている。
【先行技術文献】
【特許文献】
【０００４】
【特許文献１】実用新案登録第３１４２８４６号公報
【特許文献２】特開２００５−６８６２４号公報
【特許文献３】実用新案登録第３１７３０３５号公報
【考案の概要】
【考案が解決しようとする課題】
【０００５】
しかしながら、以上のような背景技術には、次のような課題がある。まず、前記特許文献１に記載のチャイルドシールドカバーでは、(1)多様なメーカーの自転車用子供用座椅子に対応することができず、また、一番子供が寒さを感じやすい足元をカバーしきれていない，(2)ビニール製としているため、子供が息苦しさを感じやすい，(3)全体が箱状であるために、自転車を運転する際に風の抵抗を受けやすく危険である，(4)自転車は屋外に置くことが多いが、汚れた時など、掃除や洗濯がしにくい，(5)上から覆うタイプのため、子供を乗降車させるのに時間がかかってしまう，(6)子供が成長したときに頭がつかえてしまい、幼児期以降には対応しづらい、といった様々な課題がある。
【０００６】
次に、前記特許文献２では膝掛けとしているが、肝心の膝から下の部分が全くカバーできておらず、寒さを防ぐためのシート状体が子供の乗降車部を塞ぐ形状になっているので乗降車させにくい。また、前記シート状体の外側に子供が掴まるためのバーがあるため、身長の低い子供は掴まりにくくなってしまう。特許文献２の技術においても、掃除や洗濯等がしにくいことは、上述した特許文献１と同様である。
【０００７】
更に、前記特許文献３では、チャイルドシート全体をカバーで覆うため、チャイルドシートの種類（形状・大きさ）によって対応できない場合もあり、また、カバーをシートに装着すること自体に手間がかかる。また、特許文献３の場合には、カバーの両側の側面スリットを全開しなければ子供の乗降をさせることができない。
【０００８】
以上のように、背景技術では、自転車の後部荷台に取り付けたチャイルドシート（子供乗せ）に乗せた子供の風除け等の目的を十分に達成することができず、子供を乗降車させるのにも適した構造とは言い難い。更に、子供の成長や市販の各種のチャイルドシートに対応することが困難であり、洗濯や清掃等も容易ではないことから、清潔に保つのが難しい。このような状況のため、現在においても、チャイルドシート用の専用の防寒具等を用いずに、ブランケットや毛布などで子供を寒さから守ろうとしている親が多いのが現状である。
【０００９】
本考案は、以上のような点に着目したもので、自転車のチャイルドシートに乗せる子供を寒さや突然の天候変化から守り、乗降車しやすく、子供の成長や各種形態のチャイルドシートに対応可能であり、常に清潔に保つことができる自転車チャイルドシート用の子供用保護具を提供することを、その目的とする。
【課題を解決するための手段】
【００１０】
本考案は、自転車に設置されたチャイルドシートに子供を乗せる際に使用される子供保護具であって、略長方形であって、前記子供の首元から足元までの全体を覆うことができるカバー本体，該カバー本体の両側端に設けられており、該カバー本体を筒状に閉じ、かつ、全開可能な開閉手段，前記上縁近傍に接続されており、前記カバー本体の内側に設けられた収納部からの引き出し及び収納が可能であって、前記子供の頭部を覆うフード，を備えており、前記フードを被った状態において、前記カバー本体の両端側を閉じた状態の開閉手段の位置が、子供の身体の正面からずれるように、前記フード及び収納部が前記カバー本体に取り付けられていることを特徴とする。
【００１１】
主要な形態の一つは、前記カバー本体の上縁に沿って設けられており、該上縁にギャザーを寄せて縮める上部ギャザー形成手段，前記カバー本体の下縁に沿って設けられており、該下縁にギャザーを寄せて縮める下部ギャザー形成手段，の少なくとも一方を備えたことを特徴とする。他の形態は、前記フードを、頭の前方から後方へ向けて被れる位置に設けるとともに、前記フードの少なくとも一部に、通気性を有し、かつ、水を透過しない素材を用いたことを特徴とする。更に他の形態は、前記フードの縁部に、形状記憶部材を設けたことを特徴とする。更に他の形態は、前記フードの少なくとも一部に、視界を確保するための透明素材を用いたことを特徴とする。更に他の形態は、前記フードに、頭部装着時のズレを防止するためのズレ防止手段を設けたことを特徴とする。
【００１２】
更に他の形態は、前記カバー本体の内側に、該カバー本体の上縁に沿って着脱可能に取り付けられる防寒用布地，該防寒用布地を、前記カバー本体に着脱可能に取り付けるための取付具，を設けたことを特徴とする。更に他の形態は、前記防寒用布地に、前記子供の手を通すための一対のスリットを設けたことを特徴とする。更に他の形態は、前記防寒用布地の上縁の少なくとも一部にギャザーを寄せて縮めたことを特徴とする。更に他の形態は、前記カバー本体の内側に、前記チャイルドシートの背面部に固定するめの固定手段を設けたことを特徴とする。本考案の前記及び他の目的，特徴，利点は、以下の詳細な説明及び添付図面から明瞭になろう。
【考案の効果】
【００１３】
本考案によれば、略長方形のカバー本体の両側端に開閉手段を設けてカバー本体を筒状に形成可能とし、必要に応じて、前記カバー本体の上縁又は下縁の少なくとも一方に沿って設けたギャザー形成手段によりギャザーを寄せて縮めることとした。このため、子供の首元から足元まで全体を覆い、子供を寒さから守り、突然の天候変化にも対応でき、足が自転車の後輪に巻き込まれる事故を防ぐこともできる。
【００１４】
また、前記カバー本体の内側に設けられた収納部から引出し及び収納が可能なフードを、カバー本体の上縁近傍に設けて子供の頭部を覆うことができるようにするとともに、フードを被った状態において、閉じた状態の開閉手段の位置が、子供の身体の正面からずれるような位置に、前記フードと収納部をカバー本体に取り付けることとした。このため、子供を乗せた状態において保護具の開閉部分が正面からずれるため、子供を乗降車させやすい。更に、このような子供保護具は、布地により形成されているため、子供の成長に対応可能であり、様々な形態のチャイルドシートにも使用することができる。また、脱着が容易なため、洗濯も可能であり、常に清潔に保つことができる。更に、チャイルドシートを倒して荷物入れとして使用する場合には、ひったくり防止など、防犯用にも利用可能である。
【図面の簡単な説明】
【００１５】
【図１】本考案の実施例１の子供保護具の下縁にギャザーを寄せていない状態を示す平面図である。
【図２】前記実施例１の子供保護具の下縁にギャザーを寄せた状態を示す平面図である。
【図３】前記実施例１の子供保護具の使用状態を示す図である。
【図４】本考案の他の実施例を示す図であり、(A)〜(C)は実施例２を示す平面図，(D)は他の実施例を示す図である。
【図５】本考案の実施例３を示す図であり、(A)は平面図，(B)は使用状態を示す図である。
【考案を実施するための形態】
【００１６】
以下、本考案を実施するための最良の形態を、実施例に基づいて詳細に説明する。
【実施例１】
【００１７】
最初に、図１〜図３を参照しながら本考案の実施例１を説明する。本考案は、自転車の後部荷台に設置されたチャイルドシートに子供を乗せる際に使用する子供保護具であって、子供を寒さから守ったり、突然の天候不良にも対応して風雨から子供を守ったりするためのものである。なお、本実施例では、後部荷台にチャイルドシートを設置した場合を例に挙げて説明するが、本考案は、自転車の前方にチャイルドシートを設置した場合にも適用可能である。図１は、本実施例の子供保護具の下縁にギャザーを寄せていない状態を示す平面図であり、(A)は裏面側を示す図，(B)は表面側を示す図である。図２は、本実施例の子供保護具の下縁にギャザーを寄せた状態を示す平面図であり、(A)はフードを引き出した状態を示す裏面側の図，(B)はフードを収納した状態を示す裏面側の図，(C)はフードを収納した状態を示す表面側の図である。図３は、本実施例の子供保護具の使用状態を示す図であり、(A)は全体を示す斜視図，(B)は子供の正面から見た図，(C)は子供の背面から見た図である。チャイルドシートは、公知の各種のものが利用できるが、図３に示すチャイルドシート７４は、自転車７０の荷台７２に固定される座席７６と、子供９０の足９４が後輪８４に巻き込まれるのを防止するための足ガード７８と、背もたれ８０を備えた構成となっている。
【００１８】
図１(A)及び(B)に示すように、本実施例の子供保護具１０は、略長方形のカバー本体１２と、該カバー本体１２に対して収納可能なフード５０により構成されている。前記カバー本体１２は、布製であればよいが、例えば、撥水性又は防水性を有する布地（例えば、傘やレインコートに用いられる素材），あるいは、防寒性に優れた布地等により形成されてる。なお、本実施例では、撥水性等を有する素材を用いているが、普通の布地を用いてもよい。また、前記カバー本体１２は、子供９０の首９２から足９４までの全体を覆うことができる寸法に設定されている（図３(A)参照）。例えば、出来上がり寸法にして、縦（長さ）が９００〜１１００ｍｍ，横（幅）が１８００〜２１００ｍｍ程度である。前記カバー本体１２の両側端１８，２０には、ファスナー２２Ａ，２２Ｂが設けられている。ファスナー２２を閉じることにより、カバー本体１２が筒状に形成される。前記ファスナー２２は、全開することができるものであって、ファスナー２２を全開することにより、カバー本体１２を平面状に展開し、チャイルドシート７４への脱着が容易となる。また、子供９０の乗降車の際の開閉部を大きく開くことができるので子供９０の乗降車も容易となる。
【００１９】
前記カバー本体１２の上縁１４には、紐２６を通すための筒状の紐通し部２４が形成されている。該紐通し部２４に通される紐２６の両端には、図示の例ではビーズ状の抜け止め２８Ａ，２８Ｂが設けられている。該抜け止め２８Ａ，２８Ｂを設けることにより、紐２６の端部が、紐通し部２４の一端から中に入り込んで、他端から抜けてしまうことを防止することができる。前記紐２６を引き絞ることにより、図３(A)及び(B)に示すように、ギャザー３０を寄せて、子供９０の首回りに合うようにサイズを調節し、適当な位置で紐２６の両端を結ぶようにする。前記紐２６としては、直径５〜１０ｍｍ程度であって、長さが１０００〜１２００ｍｍ程度のものが用いられる。抜け止め２８Ａ，２８Ｂとしては、直径約６〜２０ｍｍ程度のものが用いられる。
【００２０】
また、図示の例では、カバー本体１２の上縁１４にギャザー３０を形成する手段として、紐２６を用いたが、後述する下縁１６と同様に、ゴムなどの伸縮性を有するものを上縁１４に沿って設けることによりシャーリングを設け、面テープやボタン，ホックなどの公知の留め具で首元の絞り具合を調節するようにしてもよい。面テープを用いると、紐のように、車輪に絡まらない長さに設定する必要がなくなるため都合がよい。また、前記ビーズ状の抜け止め２８Ａ，２８Ｂの代わりに、紐２６の両端に結び目を作るようにしてもよい。
【００２１】
次に、前記カバー本体１２の下縁１６には、該下縁１６に沿ってゴム３２が設けられている。該ゴム３２は、下縁１６に沿って形成した筒状部にゴムを通すようにしてもよいし、平ゴムなどを下縁１６に沿って縫い付けるようにしてもよい。図１(A)はカバー本体１２の形状を理解するために前記ゴム３２により形成されるギャザーが省略されているが、実際には、カバー本体１２の下縁１６は、図２(A)〜(C)に示すようにギャザー３４が寄るようになる。このように下縁１６にギャザー３４を寄せることにより、前記ファスナー２２を閉じてカバー本体１２を筒状にしたときに、図３(A)に示すように、子供９０の足元まですっぽりと覆い、足元の寒さをカバーし、風，雨，雪などの侵入も防止することができる。また、前記ギャザー３４を形成することにより、図３(B)に示すように、下縁１６を、後輪８４と足ガード７８の間に滑り込ませるように取り付けることができるため、自転車走行の邪魔になることがない。
【００２２】
また、前記カバー本体１２の裏面１２Ｂ（子供９０の身体に接触する側の面）には、フード５０を収納するためのポケット４０が設けられている。該ポケット４０の上部開口には、ファスナー４２が設けられており、該ファスナー４２を開くとフード５０を引き出すことができる。また、フード５０を使用しないときは前記ポケット４０にフード５０を収納してファスナー４２を閉めると飛び出すことがない。前記ポケット４０の寸法としては、例えば、縦×横が、３００ｍｍ×３００ｍｍ〜５００ｍｍ〜５００ｍｍ程度である。また、図示の例では、上部開口をファスナー４２により開閉可能としたが、これも一例であり、ボタンや面テープなどによって開閉するようにしてもよい。
【００２３】
前記フード５０は、縁部５２の一部が前記カバー本体１２の上縁１４近傍に接続されており、前記ポケット５０からの引き出し及び収納が可能であって、図３(A)〜(C)に示すように、子供９０の頭部９６を覆うものである。該フード５０も、前記カバー本体１２と同様に、布地で形成されている。使用する布はどのようなものであってもよいが、撥水性又は防水性を有する素材や防寒性に優れた素材が好適である。前記フード５０の縁部５２には紐通し部５４が形成されており、該紐通し部５４に通した紐５６を引き絞り、子供９０の顎の下で結ぶことで、フード５０が風で飛ばされないようにすることができる。なお、前記紐５６の両端には、抜け止め５８Ａ，５８Ｂが設けられている。また、紐５６以外にも、ゴム状の素材と面テープ等を組み合わせてズレを防止するようにしてもよい。
【００２４】
以上のようなポケット４０及びフード５０は、前記フード５０を子供９０が被った状態において、閉状態のファスナー２２が、子供９０の身体の正面からずれるような位置に設ける（図３(B)参照）。すなわち、図１(A)，図２(A)及び(B)に示すように、カバー本体１２の中心からずれた位置に、ポケット４０及びフード５０を設けることで、図３(B)に示すように、ファスナー２２を閉じたときに、子供９０の身体の正面からずれ、自転車７０のサドルに当たらない位置になるので、ファスナー２２の開口から子供９０を乗降車させやすくなる。なお、ポケット４０及びフード５０を、カバー本体１２の中心から左右のいずれにずらすかは、任意であるが、使用者が右利きの場合は、図１(A)に示すように、カバー本体裏面１２Ｂから見て、右端からカバー本体１２の幅の１／３の部分とし、使用者が左利きの場合は、前記裏面１２Ｂ側からみて、カバー本体１２の左端から、カバー本体１２の幅の１／３程度の位置とする。
【００２５】
以上のようなカバー本体１２の裏面１２Ｂには、前記ポケット４０の下方に一対の固定具６０Ａ，６０Ｂが設けられている。該固定具６０Ａ，６０Ｂは、図３(A)及び(C)に示すように、チャイルドシート７４の背もたれ８０に設けられたスリットに通して、子供保護具１０を固定するためのものである。本実施例では、図１(A)に示すように、固定具６０Ａ，６０Ｂは、所定幅を有する帯状体６２Ａ，６２Ｂに、ボタン６４Ａ，６４Ｂと、ボタン穴６６Ａ，６６Ｂを設けた構成となっている。前記ボタン穴６６Ａ，６６Ｂは図示の例では二つであるが、必要に応じて増減してよい。前記帯状体６２Ａ，６２Ｂを、背もたれ８０のスリットの適宜位置に通し、ボタン６４Ａ，６４Ｂを、ボタン穴６６Ａ，６６Ｂに嵌めることで、カバー本体１２をチャイルドシート７４に固定することができる。なお、図示の例では、ボタン及びボタン穴を利用する構成としたが、帯状体６２Ａ，６２Ｂに面テープを設けるようにしてもよいし、ホック等の他の公知の各種の結合手段を設けたものであってもよい。
【００２６】
次に、本実施例の作用を説明する。子供保護具１０のカバー本体１２を、チャイルドシート７４の座席７６と背もたれ８０を覆うように被せ、前記固定具６０Ａ，６０Ｂを利用して、カバー本体１２と背もたれ８０を固定する。フード５０を使用する場合には、ポケット４０のファスナー４２を開けてフード５０を引き出しておく。次に、カバー本体１２のファスナー２２の下側を途中まで閉め、下縁１６を足カバー７８と後輪８４の間に滑り込ませる。そして、子供９０をチャイルドシート７４に座らせ、ファスナー２２を上まで完全に引き上げて首元まで閉じ、上縁１４に通した紐２６を引き絞って首元から風雨等が入るのを防ぐ。最後に、フード５０を子供９０の頭部９６に被せ、必要に応じて縁部５２の紐５６を引き絞って顎の下で結ぶことで、風によりフード５０がずれるのを防止する。このような装着状態において、子供９０の手は、カバー本体１２の内側で自由に動かすことができるため、図３(B)に示すように、チャイルドシート７４のハンドル７９に掴まることができる。
【００２７】
子供９０を降ろすときは、フード５０の紐５６を解いてフード５０を外し、上縁１４の紐２６を解いた上で、ファスナー２２を引き下げる。ファスナー２２は、全開にしてもよいが、完全に開かなくても子供９０の乗降車には支障がない。子供保護具１０を使用しないときは、ファスナー２２を完全に開き、前記固定具６０Ａ，６０Ｂをチャイルシート７４の背もたれ８０から外す。チャイルドシート７４から取り外した子供保護具１０は、必要に応じて洗濯することにより、常に清潔に保つことができる。なお、チャイルドシート７４が、倒して荷台として使用することができる構造のものであれば、子供を乗せていない場合であっても、子供保護具１０を荷物入れ用の防犯カバーとして使用することができる。
【００２８】
このように、実施例１によれば、次のような効果がある。
(1)略長方形のカバー本体１２の両側端１８，２０にファスナー２２を設けてカバー本体１２を筒状に形成可能とし、かつ、前記カバー本体の上縁１４に沿って設けた紐２６と、下縁１６に沿って設けたゴム３２によりギャザー３０，３４を寄せて縮めることとした。このため、子供９０の首元から足元まで全体を覆い、首元と足元を引き絞った構造となるので、風雨や雪等が入りにくくなり、子供９０を寒さから守り、突然の天候変化にも対応できる。また、足９４が自転車７０の後輪８４に巻き込まれる事故を防ぐことができる。
【００２９】
(2)カバー本体１２の内側に設けられたポケット４０から引き出し及び収納が可能であって撥水性又は防水性を有するフード５０を、カバー本体１２の上縁１４近傍に設けて子供９０の頭部９６を覆うこととしたので、頭部も含めて全身の寒さや雨，雪等から防ぐことができる。
(3)前記ポケット４０及びフード５０を、該フード５０を被った状態において、閉状態のファスナー２２の位置が、子供９０の身体の正面からずれるように、カバー本体１２の中央から左右のいずれかにズレた位置に設けることとした。このため、子供９０の乗降車をさせやすい。
【００３０】
(4)前記カバー本体１２及びフード５０を布地によって形成しているため、子供９０の成長にも対応可能である。また、様々な形態のチャイルドシート７４に使用することができる。
(5)固定具６０Ａ，６０Ｂを設けることとしたため、チャイルドシート７４からズレにくい。
(6)チャイルドシート７４からの脱着が容易なため、洗濯が容易であり、常に清潔に保つことができる。
(7)防寒の必要がない夏季や、子供９０が成長して保護具としての役目を終えた後は、後部荷台７２に乗せた荷物をひったくりから守る防犯用カバーとしても使用することができる。前部荷台に対しても同様である。
【実施例２】
【００３１】
次に、図４(A)〜(C)を参照しながら、本考案の実施例２を説明する。なお、上述した実施例１と同一ないし対応する構成要素には同一の符号を用いることとする（以下の実施例についても同様）。図４(A)は本実施例の基本構造の平面図，図４(B)は変形例の防寒用布地の平面図，図４(C)は変形例の使用例を示す図である。本実施例の子供保護具１００は、カバー本体１２の裏面１２Ｂに対して、防寒用布地１１０を着脱可能にした構造となっている。防寒用布地１１０は、例えば、キルティング地，毛布素材，ボア生地などの毛足が長めで防寒性に優れた素材を用いるとよい。その形状は略長方形であって、前記カバー本体１２からはみ出さない程度の大きさとなっている。防寒用布地１１０の寸法は、カバー本体１２の寸法が前記実施例１と同様の場合において、縦（長さ）が、５００〜１０００ｍｍ程度、横（幅）は１７５０〜２０５０ｍｍ程度である。
【００３２】
カバー本体１２の裏面１２Ｂ側には、上縁１４に沿って、複数のボタン１０２が設けられている。防寒用布地１１０の裏面（カバー本体１２側の面）には、前記ボタン１０２に対応する位置に、ボタン１１２が設けられている。これらボタン１０２，１１２の数は適宜設定してよいが、５箇所以上とするとよく、前記ポケット４０にかからない位置に設けるとよい。また、前記防寒用布地１１０には、子供９０の手を通すための一対のスリット１１６Ａ，１１６Ｂが設けられている。
【００３３】
図４(B)に示す例では、防寒用布地１１０Ａの上縁１４に、図示しないゴム等によりシャーリング１１４が形成されている。このような防寒用布地１１０Ａも、ボタン１０２，１１２等により、カバー本体１２に装着して使用可能である。また、防寒用布地１１０の表面（子供９０に接する面）の上縁側にボタン１１８やフックを設けることにより、防寒用布地１１０を単独で利用する場合に、子供９０の体格や着衣の厚みに対応することができる。更に、上縁の略中央部分にシャーリング１１４を設けられている。図４(B)に示す防寒用布地１１０Ａは、カバー本体１２から取り外して単独で使用することも可能である。図４(C)に示すように、前記スリット１１６Ａ，１１６Ｂに子供９０の手を通し、ボタン１１８で首元を閉じることで、防寒用布地１１０Ａを単独で用いる場合にも、首元から風などが入り込むのを防止することができる。本実施例の基本的な作用・効果は、上述した実施例１と同様である。
【実施例３】
【００３４】
次に、図５を参照しながら本考案の実施例３を説明する。上述した実施例１及び２は、フード５０を後ろから被る構造とした。しかしながら、チャイルドシートには各種形態のものがあり、例えば、図５(B)に示すチャイルドシート７４のように、背もたれ８０の上部にヘッドレスト８２が設けられているような場合には、フード５０を後ろから被せにくい場合がある。本実施例は、このような場合にフード５０を前方から被せることができるようにした構成となっている。図５(A)は、本実施例の子供保護具２００の平面図，図５(B)は使用状態を自転車７０の側面から見た図である。
【００３５】
図５(A)に示すように、本実施例の子供保護具２００では、カバー本体１２の裏面１２Ｂ側からみて左寄りの位置にポケット４０及びフード２１０が設けられている。フード２１０は、図５(B)に示すように、ほぼ全体が防水性を有する透明な素材により形成された透明部２１２と、子供９０の口や鼻に相当する位置に設けられた通気部２１４により構成される。前記通気部２１４は、通気性を有し、かつ、水を透過しない素材が用いられる。このようなフード２１０は、縁部２１６の一部が、前記カバー本体１２の上縁１４の近傍に接続されている。また、前記縁部２１６には、フード２１０を被った状態で頭の側方から後部にかけての位置に、形状記憶ワイヤー２１８が設けられている。該形状記憶ワイヤー２１８により、ポケット４０から引き出されたフード２１０は立体状態を維持しやすくなる。むろん、前記形状記憶ワイヤー２１８は、折り畳むことができるためポケット４０への収納の妨げとなることはない。本実施例によれば、ファスナー２２の開閉位置が子供９０の正面からずれるとともに、フード２１０を前方から被せることができるため、ヘッドレスト８２が設けられているようなチャイルドシート７４や、背もたれ８０が高いチャイルドシート７４の場合にも適用可能である。他の基本的な作用・効果については前記実施例１と同様である。
【００３６】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。また、カバー本体及びフードを形成する素材も一例であり、公知の各種の布地全般を利用可能である。むろん、用途に応じて、撥水性，防水性，防寒性等を有する素材を利用してよい。
(2)前記実施例１で示したフード５０も一例であり、図４(D)に示すフード５０Ａのように、フードの前方，すなわち、顔の出る部分にビニール系の透明な素材の鍔部５９を設け、雨よけにしてもよい。実施例２についても同様である。
【００３７】
(3)前記実施例１で示したカバー本体１２の上縁１４のギャザー形成手段も一例であり、同様の効果を奏するように適宜設計変更してよい。例えば、実施例１では、紐２６によって上縁１４にギャザーを形成することとしたが、前記紐２６に加えて、ゴムを上縁１４に沿って設けてギャザーを形成するようにしてもよい。また、前記紐２６として、伸縮性を有するゴム紐等を用い、ゴム紐を伸ばさない状態の長さが前記上縁１４よりも若干長くなるようにし、両端に抜け止め等を設けるようにしてもよい。これにより、ゴム紐を引き絞ったときに垂れる部分を短くし、巻き込みを防止することができる。また、前記実施例１で示したビーズ状の抜け止め２８Ａ，２８Ｂも一例であり、紐２６に対する位置を任意に変更して、所望の位置で固定することができる公知のストッパーを設けるようにしてもよい。他の実施例についても同様である。
【００３８】
(4)前記実施例１で示したカバー本体１２の下縁１６のギャザー形成手段も一例であり、同様の効果を奏するように適宜設計変更してよい。しかしながら、後輪８４への巻き込み防止等の点を考慮すると、ゴム材を用いるのが好ましい。他の実施例についても同様である。
(5)前記実施例１では、上縁１４及び下縁１６ともにギャザー手段を設けたが、いずれか一方のみ設けるようにしてよい。また、カバー本体１２の寸法によっては、上下のギャザー手段を省略するようにしてもよい。他の実施例についても同様である。
(6)前記実施例１で示したカバー本体１２の両側端の開閉手段も一例であり、ファスナー２２に限定されるものではなく、同様の効果を奏するものであれば、他の公知の各種の開閉手段を利用可能である。
【００３９】
(7)前記実施例１で示した子供保護具１０の着脱手順や子供９０の乗降手順は一例であり、必要に応じて適宜変更してよい。
(8)前記実施例３では、右利き用かつ前方からフード２１０を被るために、ポケット４０及びフード２１０をカバー本体裏面１２Ｂ側からみて左寄りに設けることとしたが、左利き用かつ前方からフード２１０を被せるためには、カバー本体裏面１２Ｂ側からみて右側寄りにポケット４０及びフード２１０を設けるようにすればよい。
(9)前記実施例２では、防寒用布地１１０は、カバー本体１２よりも短くしたが、その寸法は必要に応じて適宜変更してよい。また、防寒用布地１１０とカバー本体１２の着脱手段も一例であり、公知の各種の取付手段を利用してもよい。
【００４０】
(10)前記実施例１で示した固定手段６０Ａ，６０Ｂも一例であり、カバー本体１２とチャイルドシート７４の固定手段については、同様の効果を奏するように適宜設計変更してよい。
(11)前記実施例１〜３では、自転車の後部荷台に設置したチャイルドシート７４に子供を乗せる際に本考案の子供保護具を利用したが、自転車の前方に設置したチャイルドシートにも本考案は適用可能である。また、自転車に乗せる場合以外に利用することを妨げるものではなく、例えば、被災時に子供を寒さから守るための手段として用いるようにしてもよい。更に、チャイルドシートが、子供を乗せないときには荷物入れ等として利用できる構造のものであれば、ひったくり防止のカバーとして、防犯用に用いることも可能である。
【産業上の利用可能性】
【００４１】
本考案によれば、略長方形のカバー本体の両側端に開閉手段を設けてカバー本体を筒状に形成可能とし、必要に応じて、前記カバー本体の上縁又は下縁の少なくとも一方に沿って設けたギャザー形成手段によりギャザーを寄せて縮めることとした。このため、子供の首元から足元まで全体を覆い、子供を寒さから守り、突然の天候変化にも対応できるとともに、足が自転車の後輪に巻き込まれる事故を防ぐことができる。
【００４２】
また、前記カバー本体の内側に設けられた収納部から引出し及び収納が可能なフードを、カバー本体の上縁近傍に設けて子供の頭部を覆うことができるようにする。そして、フードを被った状態において、閉じた状態の開閉手段の位置が、子供の身体の正面からずれるように前記フードをカバー本体に取り付けるため、子供を乗降車させやすい。
【００４３】
このため、自転車に設置したチャイルドシートに子供を同乗させる際の子供保護具の用途に適用できる。特に、前記フードを、前方から被せることができる位置に設けることで、ヘッドレストが設けられているチャイルドシートに子供を乗せる際の保護具として好適である。
【符号の説明】
【００４４】
１０：子供保護具
１２：カバー本体
１２Ａ：表面
１２Ｂ：裏面
１４：上縁
１６：下縁
１８，２０：側端
２２，２２Ａ，２２Ｂ：ファスナー
２４：紐通し部
２６：紐
２８Ａ，２８Ｂ：抜け止め
３０，３４：ギャザー
３２：ゴム
４０：ポケット
４２：ファスナー
５０，５０Ａ：フード
５２：縁部
５４：紐通し部
５６：紐
５８Ａ．５８Ｂ：抜け止め
５９：鍔部
６０Ａ，６０Ｂ：固定具
６２Ａ，６２Ｂ：帯状体
６４Ａ，６４Ｂ：ボタン
６６Ａ，６６Ｂ：ボタン穴
７０：自転車
７２：荷台
７４：チャイルドシート
７６：座席
７８：足ガード
７９：ハンドル
８０：背もたれ
８２：ヘッドレスト
８４：後輪
９０：子供
９２：首
９４：足
９６：頭部
１００：子供保護具
１０２，１０４，１１２，１１８：ボタン
１１０，１１０Ａ：防寒用布地
１１４：シャーリング
１１６Ａ，１１６Ｂ：スリット
２００：子供保護具
２１０：フード
２１２：透明部
２１４：通気部
２１６：縁部
２１８：形状記憶ワイヤー
【図１】
0003185770.tif 000003
【図２】
0003185770.tif 000004
【図３】
0003185770.tif 000005
【図４】
0003185770.tif 000006
【図５】
0003185770.tif 000007
【手続補正書】
【提出日】平成25年7月3日(2013.7.3)
【手続補正１】
【補正対象書類名】実用新案登録請求の範囲
【補正対象項目名】請求項１
【補正方法】変更
【補正の内容】
【請求項１】
自転車に設置されたチャイルドシートに子供を乗せる際に使用される子供保護具であって、
略長方形であって、前記子供の首元から足元までの全体を覆うことができるカバー本体，
該カバー本体の両側端に設けられており、該カバー本体を筒状に閉じ、かつ、全開可能な開閉手段，
前記カバー本体の上縁近傍に接続されており、前記カバー本体の内側に設けられた収納部からの引き出し及び収納が可能であって、前記子供の頭部を覆うフード，
を備えており、
前記フードを被った状態において、前記カバー本体の両端側を閉じた状態の開閉手段の位置が、子供の身体の正面からずれるように、前記フード及び収納部が前記カバー本体に取り付けられていることを特徴とする自転車チャイルドシート用の子供保護具。
【手続補正２】
【補正対象書類名】明細書
【補正対象項目名】００１０
【補正方法】変更
【補正の内容】
【００１０】
本考案は、自転車に設置されたチャイルドシートに子供を乗せる際に使用される子供保護具であって、略長方形であって、前記子供の首元から足元までの全体を覆うことができるカバー本体，該カバー本体の両側端に設けられており、該カバー本体を筒状に閉じ、かつ、全開可能な開閉手段，前記カバー本体の上縁近傍に接続されており、前記カバー本体の内側に設けられた収納部からの引き出し及び収納が可能であって、前記子供の頭部を覆うフード，を備えており、前記フードを被った状態において、前記カバー本体の両端側を閉じた状態の開閉手段の位置が、子供の身体の正面からずれるように、前記フード及び収納部が前記カバー本体に取り付けられていることを特徴とする。